(57)【特許請求の範囲】
【請求項１】
複数の周波数ブロックを束ねて無線通信を行う移動体通信用装置と対向して通信する対向装置の動作を模擬する移動体通信用試験装置（１）であって、
予め設定された振り分け情報に従って前記移動体通信用装置に送信すべきロジカルチャネルデータをロジカルチャネル番号単位で振り分け処理を行うロジカルチャネル振分部（３０）と、
前記ロジカルチャネル振分部で振り分けられた前記ロジカルチャネルデータを一時的に保持するデータ保持部（４３ａ、５３ａ）を備えるＭＡＣ処理部（４３、５３）を有し、自己宛のロジカルチャネルデータをトランスポートチャネルデータに変換するとともに、自己宛以外のロジカルチャネルデータを当該データの送信元に向けて送出する複数の通信処理部（４０、５０）と、
前記各通信処理部からのロジカルチャネルデータを当該データの送信元となる前記通信処理部へ転送するデータ交換部（６０）と、
を備えたことを特徴とする移動体通信用試験装置。
【請求項２】
前記各通信処理部（４０、５０）から出力される前記各ロジカルチャネルデータのプロパティ情報に基づき、当該ロジカルチャネルデータの送信元となる前記通信処理部を割り当てるスケジューリングを行い、そのスケジューリング結果をスケジューリング結果情報として前記各通信処理部に出力するスケジューラ（４３ｂ）を備え、
前記通信処理部は、前記スケジューラからのスケジューリング結果情報に基づき、前記保持するロジカルチャネルデータのうち自己宛以外のロジカルチャネルデータを、前記データ交換部（６０）を介して該当する前記通信処理部に向けて送出することを特徴とする請求項１記載の移動体通信用試験装置。
【請求項３】
前記ロジカルチャネル振分部（３０）は、前記移動体通信用装置の動作試験のシーケンスに従ってメッセージが時系列に記述されたシナリオに記述される振り分け情報に従って振り分け処理を行うことを特徴とする請求項１又は２記載の移動体通信用試験装置。
【請求項４】
複数の周波数ブロックを束ねて無線通信を行う移動体通信用装置と対向して通信する対向装置の動作を模擬する移動体通信用試験装置（１）であって、
前記移動体通信用装置から送信された所定数の周波数ブロックの信号から変換されたトランスポートチャネルデータのＭＡＣヘッダを解析して分解したロジカルチャネルデータを一時的に保持するデータ保持部（４３ａ、５３ａ）を備えるＭＡＣ処理部（４３、５３）を有し、自己宛のロジカルチャネルデータをロジカルチャネル単位で処理するとともに、自己宛以外のロジカルチャネルデータを当該データの送信先に向けて送出する複数の通信処理部（４０、５０）と、
前記各通信処理部からのロジカルチャネルデータを送信先となる前記通信処理部へ転送するデータ交換部（６０）と、
を備えたことを特徴とする移動体通信用試験装置。
【請求項５】
前記ＭＡＣ処理部（４３、５３）は、前記移動体通信用装置の動作試験のシーケンスに従ってメッセージが時系列に記述されたシナリオに記述される振り分け情報に従って前記ロジカルチャネルデータの振り分け処理を行うことを特徴とする請求項４記載の移動体通信用試験装置。
【請求項６】
複数の周波数ブロックを束ねて移動体通信用装置との間で通信を行う複数の通信処理部（４０、５０）と、前記各通信処理部との間で送受信されるデータの中継処理をするデータ交換部（６０）とを備え、前記移動体通信用装置と対向して通信する対向装置の動作を模擬する移動体通信用試験装置（１）の試験方法であって、
予め設定された振り分け情報に従って前記移動体通信用装置に送信すべきロジカルチャネルデータを前記各通信処理部に振り分けるステップと、
前記各通信処理部に振り分けられたロジカルチャネルデータを一時的に保持するステップと、
前記通信処理部に振り分けられたロジカルチャネルデータのうち、当該通信処理部宛以外のロジカルチャネルデータを当該データの送信元となる前記通信処理部に向けて前記データ交換部を介して送出するステップと、
前記通信処理部に振り分けられたロジカルチャネルデータのうちの当該通信処理部宛てに振り分けられたロジカルチャネルデータ及び前記データ交換部を介して受けたロジカルチャネルデータをトランスポートチャネルデータに変換するステップと、
を含むことを特徴とする移動体通信用試験方法。
【請求項７】
前記各通信処理部（４０、５０）から出力される前記各ロジカルチャネルデータのプロパティ情報に基づき、当該ロジカルチャネルデータの送信元となる前記通信処理部を割り当てるスケジューリングを行うステップと、
前記スケジューリングのスケジューリング結果をスケジューリング結果情報として前記各通信処理部に出力するステップと、
前記スケジューリング結果情報に基づき、前記通信処理部が保持するロジカルチャネルデータのうち自己宛以外のロジカルチャネルデータを前記データ交換部（６０）を介して当該データの送信元となる前記通信処理部に向けて送出するステップと、
を更に含むことを特徴とする請求項６記載の移動体通信用試験方法。
【請求項８】
前記移動体通信用装置の動作試験のシーケンスに従ってメッセージが時系列に記述されたシナリオに記述される振り分け情報に従って振り分け処理を行うステップを更に含むことを特徴とする請求項６又は７記載の移動体通信用試験方法。
【請求項９】
複数の周波数ブロックを束ねて移動体通信用装置との間で通信を行う複数の通信処理部（４０、５０）と、前記各通信処理部との間で送受信されるデータの中継処理をするデータ交換部（６０）とを備え、前記移動体通信用装置と対向して通信する対向装置の動作を模擬する移動体通信用試験装置の試験方法であって、
前記移動体通信装置から送信された所定数の周波数ブロックの信号から変換されたトランスポートチャネルデータのＭＡＣヘッダを解析してロジカルチャネルデータとなるように分解処理するステップと、
予め設定された振り分け情報に従って前記各通信処理部に振り分けられた前記ロジカルチャネルデータを一時的に保持するステップと、
前記通信処理部に振り分けられたロジカルチャネルデータのうち、当該通信処理部宛以外のロジカルチャネルデータを前記データ交換部を介して当該データの送信先となる前記通信処理部に向けて送出するステップと、  
前記通信処理部に振り分けられたロジカルチャネルデータのうちの当該通信処理部宛てに振り分けられたロジカルチャネルデータ及び前記データ交換部を介して受けたロジカルチャネルデータをロジカルチャネル単位で処理するステップと、
を含むことを特徴とする移動体通信用試験方法。
【請求項１０】
前記移動体通信用装置の動作試験のシーケンスに従ってメッセージが時系列に記述されたシナリオに記述される振り分け情報に従って前記ロジカルチャネルデータの振り分け処理を行うステップを更に含むことを特徴とする請求項９記載の移動体通信用試験方法。
【発明の詳細な説明】
【技術分野】
【０００１】
本発明は、ＬＴＥ−Ａｄｖａｎｃｅｄ等の複数の周波数ブロックを束ねて通信を行う移動体通信用装置（基地局又は携帯電話等の端末）又はそれに実装されるチップ等の動作試験を行う移動体通信用試験装置及び試験方法に関するものである。
【背景技術】
【０００２】
近年、移動通信サービスのブロードバンド化に伴い、更なる高速化及び大容量化が求められており、Ｗ−ＣＤＭＡ（Wideband Code Division Multiple Access）に代表される第３世代移動通信システムや３．５世代移動通信システムに代わる次世代移動通信システムであるＬＴＥ(Long Term Evolution) が、第４世代通信システムにつながる標準規格として期待されている。
【０００３】
このＬＴＥは、３ＧＰＰ（Third Generation Partnership Project）が標準化に向けて策定した通信規格であって、複数のチャネル幅（１．４ＭＨｚ、３ＭＨｚ、５ＭＨｚ、１０ＭＨｚ、１５ＭＨｚ、又は、２０ＭＨｚ）が規格で規定され、下りにＯＦＤＭＡ（Orthogonal Frequency Division Multiple Access ：直交周波数分割多元接続) 、上りにＳＣ−ＦＤＭＡ（Single Carrier Frequency Division Multiple Access ：シングルキャリア周波数分割多元接続）を採用し、ピークデータレートが下り方向１００Ｍｂｐｓ以上、上り方向５０Ｍｂｐｓ以上（何れも周波数帯域幅が２０ＭＨｚにおいて）の通信速度を要求条件としている。
【０００４】
また、更なる広帯域化及び高速化を目的として、ＬＴＥの受信可能帯域幅であったシステム帯域を包含する広帯域を用いるＬＴＥ−Ａｄｖａｎｃｅｄ（以下、「ＬＴＥ−Ａ」という）の標準化が開始されている。
【０００５】
ＬＴＥ−Ａは、その特徴としてＬＴＥとの互換性を保ちながら、柔軟に広帯域化を行うために、空間多重技術のＭＩＭＯ（Multiple Input Multiple Output）の高度化と、コンポーネント・キャリア（Component Carrier ：ＣＣ）と呼ばれるＬＴＥ用の周波数ブロック（最大２０ＭＨｚのチャネル帯域幅）を束ねる帯域拡張の実現手段となる周波数広帯域化（キャリア・アグリゲーション（Carrier Aggregation ：ＣＡ））の２つの技術を取り入れ、各コンポーネント・キャリアにおいて、電波環境に応じた適応変調・チャネル符号化やハイブリッド自動転送要求（ＨＡＲＱ）を行うことにより、効率を高め、伝送速度の向上を図っている（詳細は非特許文献１を参照）。
【先行技術文献】
【特許文献】
【０００６】
【非特許文献１】ＮＴＴ  ＤＯＣＯＭＯ  テクニカル・ジャーナル Vol.18 No.2 Jul.2010 12-21P
【発明の概要】
【発明が解決しようとする課題】
【０００７】
ところで、ＬＴＥ−Ａの研究開発を進めるにあたり、ＬＴＥ−Ａに対応した移動体通信用装置（基地局又は携帯電話等の端末）又はそれに使用するチップを開発するため、この開発対象と対向して通信を行う端末又は基地局の動作を模擬する移動体通信用試験装置が必要となる。しかしながら、ＬＴＥ−Ａは現行の通信規格よりも伝送速度が大幅に高速化されているため、この通信規格に準拠する高度な処理機能を有する移動体通信用試験装置の開発が望まれている。
【０００８】
また、ＬＴＥ−Ａは、ＬＴＥとの互換性を有しているが、単純にＬＴＥ用の移動体通信用試験装置を複数台接続しただけではＬＴＥ−Ａに準拠する移動体通信用試験装置を実現することができず、ＬＴＥ−Ａに対応した移動体通信用試験装置の開発及び製造に多大なコストがかかるという問題があった。
【０００９】
そこで、本発明は上記問題点に鑑みてなされたものであって、低コストでＬＴＥ−Ａに準拠する移動体通信用装置の動作試験を実施することのできる移動体通信用試験装置及び試験方法を提供することを目的としている。
【課題を解決するための手段】
【００１０】
上記目的を達成するため、本発明の請求項１に記載された移動体通信用試験装置は、複数の周波数ブロックを束ねて無線通信を行う移動体通信用装置と対向して通信する対向装置の動作を模擬する移動体通信用試験装置１であって、
予め設定された振り分け情報に従って前記移動体通信用装置に送信すべきロジカルチャネルデータをロジカルチャネル番号単位で振り分け処理を行うロジカルチャネル振分部３０と、
前記ロジカルチャネル振分部で振り分けられた前記ロジカルチャネルデータを一時的に保持するデータ保持部４３ａ、５３ａを備えるＭＡＣ処理部４３、５３を有し、自己宛のロジカルチャネルデータをトランスポートチャネルデータに変換するとともに、自己宛以外のロジカルチャネルデータを当該データの送信元に向けて送出する複数の通信処理部４０、５０と、
前記各通信処理部からのロジカルチャネルデータを当該データの送信元となる前記通信処理部へ転送するデータ交換部６０と、
を備えたことを特徴とする。
【００１１】
請求項２記載の移動体通信用試験装置は、請求項１記載の移動体通信用試験装置において、前記各通信処理部４０、５０から出力される前記各ロジカルチャネルデータのプロパティ情報に基づき、当該ロジカルチャネルデータの送信元となる前記通信処理部を割り当てるスケジューリングを行い、そのスケジューリング結果をスケジューリング結果情報として前記各通信処理部に出力するスケジューラ４３ｂを備え、
前記通信処理部は、前記スケジューラからのスケジューリング結果情報に基づき、前記保持するロジカルチャネルデータのうち自己宛以外のロジカルチャネルデータを、前記データ交換部６０を介して該当する前記通信処理部に向けて送出することを特徴とする。
【００１２】
請求項３記載の移動体通信用試験装置は、請求項１又は２記載の移動体通信用試験装置において、前記ロジカルチャネル振分部３０は、前記移動体通信用装置の動作試験のシーケンスに従ってメッセージが時系列に記述されたシナリオに記述される振り分け情報に従って振り分け処理を行うことを特徴とする。
【００１３】
請求項４記載の移動体通信用試験装置は、複数の周波数ブロックを束ねて無線通信を行う移動体通信用装置と対向して通信する対向装置の動作を模擬する移動体通信用試験装置１であって、
前記移動体通信用装置から送信された所定数の周波数ブロックの信号から変換されたトランスポートチャネルデータのＭＡＣヘッダを解析して分解したロジカルチャネルデータを一時的に保持するデータ保持部４３ａ、５３ａを備えるＭＡＣ処理部４３、５３を有し、自己宛のロジカルチャネルデータをロジカルチャネル単位で処理するとともに、自己宛以外のロジカルチャネルデータを当該データの送信先に向けて送出する複数の通信処理部４０、５０と、
前記各通信処理部からのロジカルチャネルデータを送信先となる前記通信処理部へ転送するデータ交換部６０と、
を備えたことを特徴とする。
【００１４】
請求項５記載の移動体通信用試験装置は、請求項４記載の移動体通信用試験装置において、前記ＭＡＣ処理部４３、５３は、前記移動体通信用装置の動作試験のシーケンスに従ってメッセージが時系列に記述されたシナリオに記述される振り分け情報に従って前記ロジカルチャネルデータの振り分け処理を行うことを特徴とする。
【００１５】
請求項６記載の移動体通信用試験方法は、複数の周波数ブロックを束ねて移動体通信用装置との間で通信を行う複数の通信処理部４０、５０と、前記各通信処理部との間で送受信されるデータの中継処理をするデータ交換部６０とを備え、前記移動体通信用装置と対向して通信する対向装置の動作を模擬する移動体通信用試験装置１の試験方法であって、
予め設定された振り分け情報に従って前記移動体通信用装置に送信すべきロジカルチャネルデータを前記各通信処理部に振り分けるステップと、
前記各通信処理部に振り分けられたロジカルチャネルデータを一時的に保持するステップと、
前記通信処理部に振り分けられたロジカルチャネルデータのうち、当該通信処理部宛以外のロジカルチャネルデータを当該データの送信元となる前記通信処理部に向けて前記データ交換部を介して送出するステップと、
前記通信処理部に振り分けられたロジカルチャネルデータのうちの当該通信処理部宛てに振り分けられたロジカルチャネルデータ及び前記データ交換部を介して受けたロジカルチャネルデータをトランスポートチャネルデータに変換するステップと、
を含むことを特徴とする。
【００１６】
請求項７記載の移動体通信用試験方法は、請求項６記載の移動体通信用試験方法において、前記各通信処理部４０、５０から出力される前記各ロジカルチャネルデータのプロパティ情報に基づき、当該ロジカルチャネルデータの送信元となる前記通信処理部を割り当てるスケジューリングを行うステップと、
前記スケジューリングのスケジューリング結果をスケジューリング結果情報として前記各通信処理部に出力するステップと、
前記スケジューリング結果情報に基づき、前記通信処理部が保持するロジカルチャネルデータのうち自己宛以外のロジカルチャネルデータを前記データ交換部６０を介して当該データの送信元となる前記通信処理部に向けて送出するステップと、
を更に含むことを特徴とする。
【００１７】
請求項８記載の移動体通信用試験方法は、請求項６又は７記載の移動体通信用試験方法において、前記移動体通信用装置の動作試験のシーケンスに従ってメッセージが時系列に記述されたシナリオに記述される振り分け情報に従って振り分け処理を行うステップを更に含むことを特徴とする。
【００１８】
請求項９記載の移動体通信用試験方法は、複数の周波数ブロックを束ねて移動体通信用装置との間で通信を行う複数の通信処理部４０、５０と、前記各通信処理部との間で送受信されるデータの中継処理をするデータ交換部６０とを備え、前記移動体通信用装置と対向して通信する対向装置の動作を模擬する移動体通信用試験装置の試験方法であって、
前記移動体通信装置から送信された所定数の周波数ブロックの信号から変換されたトランスポートチャネルデータのＭＡＣヘッダを解析してロジカルチャネルデータとなるように分解処理するステップと、
予め設定された振り分け情報に従って前記各通信処理部に振り分けられた前記ロジカルチャネルデータを一時的に保持するステップと、
前記通信処理部に振り分けられたロジカルチャネルデータのうち、当該通信処理部宛以外のロジカルチャネルデータを前記データ交換部を介して当該データの送信先となる前記通信処理部に向けて送出するステップと、  
前記通信処理部に振り分けられたロジカルチャネルデータのうちの当該通信処理部宛てに振り分けられたロジカルチャネルデータ及び前記データ交換部を介して受けたロジカルチャネルデータをロジカルチャネル単位で処理するステップと、
を含むことを特徴とする。
【００１９】
請求項１０記載の移動体通信用試験方法は、請求項９記載の移動体通信用試験方法において、前記移動体通信用装置の動作試験のシーケンスに従ってメッセージが時系列に記述されたシナリオに記述される振り分け情報に従って前記ロジカルチャネルデータの振り分け処理を行うステップを更に含むことを特徴とする。
【発明の効果】
【００２０】
本発明の移動体通信用試験装置によれば、送信処理を実施するための構成として、予め設定された振り分け情報に従って移動体通信用装置に送信すべきロジカルチャネルデータをロジカルチャネル番号単位で複数の通信処理装置に振り分け処理をし、通信処理装置において、一時的に保持したロジカルチャネルデータのうち、自己宛以外のロジカルチャネルデータを当該データの送信元となる通信処理装置に向けてデータ交換部を介して送出する構成を採用しているため、低コストで、ＬＴＥーＡ等の所定数の周波数ブロックを束ねて無線通信を行う移動体通信用装置の各種動作試験が行える移動体通信用試験装置を提供することができる。
【００２１】
また、受信処理を実施するための構成として、移動体通信用装置から受信したロジカルチャネルデータを、通信処理装置が予め設定された振り分け情報に従って振り分けして、自己宛以外に振り分けられたロジカルチャネルデータを当該データの送信先となる通信処理部に向けてデータ交換部を介して送出する構成を採用しているため、低コストで、ＬＴＥーＡ等の所定数の周波数ブロックを束ねて無線通信を行う移動体通信用装置の各種動作試験が行える移動体通信用試験装置を提供することができる。
【図面の簡単な説明】
【００２２】
【図１】本発明に係る移動体通信用試験装置におけるダウンリンク処理を実現するための機能ブロック図である。
【図２】シナリオに記述された振り分け情報を概念的に示した説明図である。
【図３】同装置におけるアップリンク処理を実現するための機能ブロック図である。
【発明を実施するための形態】
【００２３】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００２４】
本発明に係る移動体通信用試験通信装置は、ＬＴＥを更なる広帯域化及び高速化する目的として、複数の周波数ブロックを束ねて無線通信を行う技術を採用したＬＴＥ−Ａｄｖａｎｃｅｄ（以下、「ＬＴＥ−Ａ」と称する）に対応した移動体通信用装置（通信端末や基地局、及びそれらに使用するチップ）を開発するために対向装置（通信端末に対する基地局模擬装置又は基地局に対する通信端末模擬装置）として動作をする試験装置である。
なお、以下の説明では、基地局を模擬して移動体通信端末を試験する試験装置を例にしとして説明する。また、本装置の試験処理内容として、本装置と各種移動体との間のダウンリンク処理（送信処理）とアップリンク処理（受信処理）とに大別してそれぞれ説明する。
【００２５】
［１．ダウンリンク処理］
＜１−１．装置構成＞
まず、本例の移動体通信用試験装置におけるダウンリンク処理について説明する。
図１は、本例の移動体端末用試験装置１におけるダウンリンク処理を実現するための各機能を示しており、ＴＦＴ処理部１０と、シナリオ処理部２０と、ロジカルチャネル振分部３０と、マスタ通信処理部４０、スレーブ通信処理部５０と、データ交換部６０とを備えて構成されている。
【００２６】
なお、図例では、１つのマスタ通信処理部４０と、２つのスレーブ通信処理部５０との間のデータの送受信をデータ交換部６０が中継する構成例で示しているが、マスタ通信処理部４０に複数のスレーブ通信処理部５０が接続される構成であれば、スレーブ通信処理部５０の接続数は特に限定されない。
【００２７】
（ＴＦＴ処理部）
ＴＦＴ処理部１０は、外部入力（有線／無線を問わず）又は予め内部記憶したＩＰデータに対してトラヒックフローテンプレート(Traffic Flow Template；以下、「ＴＦＴ」と略称する。) パケットフィルタリングにより適切なロジカルチャネル（ＤＴＣＨ（Dedicated Traffic Channel ）、ＭＴＣＨ（Multicast Traffic Channel ））にマッピングしてロジカルチャネル振分部３０に出力している。
なお、ＴＦＴパケットフィルタリングに使用する項目としては、ＩＰアドレスとそのサブネットマスク、プロトコル番号（ＩＰｖ４）／ネクストヘッダ（ＩＰｖ６）、ポート番号、ＩＰＳｅｃＳＰＩ値等がある。
【００２８】
（シナリオ処理部）
シナリオ処理部２０は、ＬＴＥ−Ａに準拠する所定の動作試験のシーケンスに従ってメッセージが時系列に記述されたシナリオを記憶するシナリオ記憶手段２１を備え、動作試験に応じたシナリオを順次読み込んで実行した際のレイヤ３メッセージを制御データ（ＭＣＣＨ（Multicast Control Channel ）データ、ＤＣＣＨ（Dedicated Control CHannel ）データ）、ＣＣＣＨ（Common Control Channel）データ、ＢＣＣＨ（Broadcast Control Channel ）データ及びＰＣＣＨ（Paging Control Channel）データとしてマスタ通信処理部４０に出力している。
【００２９】
また、シナリオ処理部２０は、マッピングされたロジカルチャネルの振り分け指示の情報である振り分け情報がシナリオに記述されているため、この振り分け情報をロジカルチャネル振分部３０に出力している。振り分け情報は、ロジカルチャネルの種別及び番号と、振り分け先であるマスタ通信処理部４０及び各スレーブ通信処理部５０の番号とを任意に振り分けしている。なお、図２は、振り分け情報を概念的にテーブル化して表現したものであり、各ロジカルチャネルデータとマスタ及びスレーブ通信処理部４０、５０のそれぞれに識別可能な番号を割り当てておき、各データと振り分け先を予め指定した振り分け情報を、シナリオにおけるマスタ通信処理部４０の動作開始前に実行されるシナリオに記述している例である。
【００３０】
（ロジカルチャネル振分部）
ロジカルチャネル振分部３０は、シナリオ処理部２０からの振り分け情報に基づき、ＴＦＴ処理部１０でマッピングされたロジカルチャネルデータを対応するロジカルチャネル（ＤＴＣＨ、ＭＴＣＨ）番号単位でマスタ通信処理部４０又はスレーブ通信処理部５０に振り分け処理をしている。なお、ロジカルチャネル振分部３０によって振り分けられたロジカルチャネルデータのうち、ＤＴＣＨデータはマスタ側ＰＤＣＰ処理部４１及び後述するスレーブ側ＰＤＣＰ処理部５１にそれぞれ出力され、ＭＴＣＨデータはマスタ側ＲＬＣ処理部４２及び後述するスレーブ側ＲＬＣ処理部５２にそれぞれ出力される。
【００３１】
（マスタ通信処理部）
マスタ通信処理部４０は、レイヤ２のＰＤＣＰ（Packet Data Convergence Protocol）サブレイヤの処理を行うマスタ側ＰＤＣＰ処理部４１と、レイヤ２のＲＬＣ（Radio Link Control）サブレイヤの処理を行うマスタ側ＲＬＣ処理部４２と、レイヤ２のＭＡＣ（Medium Access Control ）サブレイヤの処理を行うマスタ側ＭＡＣ処理部４３と、レイヤ１の処理を行うマスタ側ＰＨＹ（physical）処理部４４とを備えて構成されている。
【００３２】
マスタ側ＰＤＣＰ処理部４１は、ロジカルチャネル振分部３０から送られてきたロジカルチャネルデータ（ＤＴＣＨデータ）をロジカルチャネル毎にＲＯＨＣ（Robust Header Compressio）によるヘッダ圧縮処理と秘匿処理を実行してマスタ側ＲＬＣ処理部４２に出力している。また、シナリオ処理部２０からロジカルチャネルデータ（ＤＣＣＨデータ）を受けて、認証処理と秘匿処理を実行してマスタ側ＲＬＣ処理部４２に出力している。
【００３３】
マスタ側ＲＬＣ処理部４２は、マスタ側ＰＤＣＰ処理部４１からのロジカルチャネルデータ（ＤＴＣＨデータ、ＤＣＣＨデータ）、ロジカルチャネル振分部３０からのロジカルチャネルデータ（ＭＴＣＨデータ）、シナリオ処理部２０からのロジカルチャネルデータ（ＭＣＣＨデータ）をロジカルチャネル毎に分割・結合処理とＡＲＱ（Automatic repeat request）処理（再送処理）を実行してマスタ側ＭＡＣ処理部４３に出力している。また、マスタ側ＲＬＣ処理部４２は、シナリオ処理部２０から、制御データであるロジカルチャネルデータ（ＢＣＣＨデータ、ＣＣＣＨデータ、ＰＣＣＨデータ）を受けて、マスタ側ＭＡＣ処理部４３に出力している。
【００３４】
マスタ側ＭＡＣ処理部４３は、マスタ側データ保持部４３ａと、スケジューラ４３ｂと、マスタ側変換処理部４３ｃと、マスタ側ＨＡＲＱ（Hybrid Automatic repeat request ）処理部４３ｄとを備えている。マスタ側ＭＡＣ処理部４３は、マスタ側ＲＬＣ処理部４２からの各ロジカルチャネルデータのスケジューリングを行い、ロジカルチャネルデータをトランスポートチャネルデータに変換した後、ＨＡＲＱ処理を行って、下位レイヤのマスタ側ＰＨＹ処理部４４に出力している。
【００３５】
マスタ側データ保持部４３ａは、マスタ側ＲＬＣ処理部４２からのロジカルチャネルデータ（ＭＴＣＨデータ、ＭＣＣＨデータ、ＤＴＣＨデータ、ＤＣＣＨデータ、ＢＣＣＨデータ、ＣＣＣＨデータ、ＰＣＣＨデータ）を一時的に保持する記憶バッファである。マスタ側データ保持部４３ａは、入力したロジカルチャネルデータのプロパティ情報（例えば、チャネルの種別情報、チャネル番号情報、チャネルのＲＬＣシーケンス番号情報、ロジカルチャネルデータのサイズ情報、マスタ側ＲＬＣ処理部４２からの再送データであるか否かの情報等を含む）をスケジューラ４３ｂに出力し、その応答としてスケジューラ４３ｂから入力するロジカルチャネルデータのスケジューリング結果情報に基づき、保持するロジカルチャネルデータが自己宛以外のデータであったときは、データ交換部６０を介して該当するスレーブ側データ保持部５３ａに出力している。
【００３６】
また、マスタ側データ保持部４３ａは、データ交換部６０を介して入力したスレーブ側データ保持部５３ａからのプロパティ情報をスケジューラ４３ｂに出力するとともに、スケジューラ４３ｂから入力したスレーブ側データ保持部５３ａに対するスケジューリング結果情報をデータ交換部６０を介してスレーブ側データ保持部５３ａに出力している。
【００３７】
なお、マスタ側データ保持部４３ａは、スケジューリング結果情報により保持するロジカルチャネルデータが自己宛のデータであったときは、保持するロジカルチャネルデータをそのままマスタ側変換処理部４３ｃに出力している。
【００３８】
スケジューラ４３ｂは、マスタ側データ保持部４３ａとスレーブ側データ保持部５３ａとがそれぞれ保持する各ロジカルチャネルデータのプロパティ情報、マスタ側ＨＡＲＱ処理部４３ｄ及び後述するスレーブ側ＨＡＲＱ処理部５３ｃから定期的に入力される送信可否情報（ＨＡＲＱ処理によるマスタ側ＰＨＹ処理部４４及び後述するスレーブ側ＰＨＹ処理部５４への再送状況を加味したデータ送信能力を示す情報）を入力すると、これらの情報に基づきマスタ側データ保持部４３ａ及びスレーブ側データ保持部５３ａにそれぞれ保持する各ロジカルチャネルデータのスケジューリングを行い、その処理結果をスケジューリング結果情報としてマスタ側データ保持部４３ａに出力している。
【００３９】
なお、スケジューリングとは、上述したプロパティ情報や送信可否情報等を考慮し、各ロジカルチャネルデータを送信先である各通信処理部の何れかに割り当てる処理（所謂、スケジューリング／プライオリティハンドリング処理）である。
【００４０】
マスタ側変換処理部４３ｃは、対応するＣＣ毎に設けられ、マスタ側データ保持部４３ａからのロジカルチャネルデータを結合し、さらに結合結果を示すヘッダを付加したトランスポートチャネルデータに変換してマスタ側ＨＡＲＱ処理部４３ｄに出力している。
【００４１】
マスタ側ＨＡＲＱ処理部４３ｄは、対応するＣＣ毎に設けられ、マスタ側変換処理部４３ｃからのトランスポートチャネルデータに対しＡＲＱ処理とＦＥＣ（Forward Error Correction）処理とを組み合わせたＨＡＲＱ処理を行ってマスタ側ＰＨＹ処理部４４に出力している。また、マスタ側ＨＡＲＱ処理部４３ｄは、マスタ側ＰＨＹ処理部４４へのトランスポートチャネルデータの送信状況に応じた送信可否情報を定期的（例えば、マスタ側ＨＡＲＱ処理部４３ｄからマスタ側ＰＨＹ処理部４４へのトランスポートチャネルデータの出力タイミングと同期した１ｍＳ周期）にスケジューラ４３ｂに出力している。
【００４２】
マスタ側ＰＨＹ処理部４４は、対応するＣＣ毎に設けられ、マスタ側ＨＡＲＱ処理部４３ｄからのトランスポートチャネルデータを物理チャネルにマッピングしてＣＣのＲＦ出力信号に変換して出力する、所謂レイヤ１の処理を行っている。
【００４３】
（スレーブ通信処理部）
スレーブ通信処理部５０は、レイヤ２のＰＤＣＰサブレイヤの処理を行うスレーブ側ＰＤＣＰ処理部５１と、レイヤ２のＲＬＣサブレイヤの処理を行うスレーブ側ＲＬＣ処理部５２と、レイヤ２のＭＡＣサブレイヤの処理を行うスレーブ側ＭＡＣ処理部５３と、レイヤ１の処理を行うスレーブ側ＰＨＹ処理部５４とを備えて構成されている。
【００４４】
スレーブ側ＰＤＣＰ処理部５１は、上位レイヤであるロジカルチャネル振分部３０から送られてきたロジカルチャネルデータ（ＤＴＣＨデータ）をＲＯＨＣによるヘッダ圧縮処理と秘匿処理を実行してスレーブ側ＲＬＣ処理部５２に出力している。
【００４５】
スレーブ側ＲＬＣ処理部５２は、スレーブ側ＰＤＣＰ処理部５１からのロジカルチャネルデータ（ＤＴＣＨデータ）及びロジカルチャネル振分部３０からのロジカルチャネルデータ（ＭＴＣＨデータ）をロジカルチャネル毎に分割・結合処理とＡＲＱ処理（再送処理）を行った各ロジカルチャネルデータをスレーブ側ＭＡＣ処理部５３に出力している。
【００４６】
スレーブ側ＭＡＣ処理部５３は、スレーブ側データ保持部５３ａと、スレーブ側変換処理部５３ｂと、スレーブ側ＨＡＲＱ処理部５３ｃとを備えている。スレーブ側ＭＡＣ処理部５３は、スレーブ側ＲＬＣ処理部５２からのロジカルチャネルデータをスケジューリング／プライオリティハンドリング処理を行い、ロジカルチャネルデータをトランスポートチャネルデータに変換した後、ＨＡＲＱ処理を行って、下位レイヤのスレーブ側ＰＨＹ処理部５４に出力している。
【００４７】
スレーブ側データ保持部５３ａは、スレーブ側ＲＬＣ処理部５２からのロジカルチャネルデータを一時的に保持する記憶バッファである。スレーブ側データ保持部５３ａは、入力したロジカルチャネルデータのプロパティ情報をデータ交換部６０を介してスケジューラ４３ｂに出力している。また、スレーブ側データ保持部５３ａは、スケジューラ４３ｂからの応答としてデータ変換部６０を介して入力したロジカルチャネルデータのスケジューリング結果情報に基づき、保持するロジカルチャネルデータが自己宛以外のデータであったときは、データ交換部６０を介してマスタ側データ保持部４３ａ又は該当するスレーブ側データ保持部５３ａに送出している。
【００４８】
また、スレーブ側データ保持部５３ａは、データ交換部６０を介して入力したスレーブ側データ保持部５３ａからのプロパティ情報をスケジューラ４３ｂに出力するとともに、スケジューラ４３ｂからのスケジューリング結果情報をデータ交換部６０を介して入力している。
【００４９】
なお、スレーブ側データ保持部５３ａは、スケジューリング結果情報により保持するロジカルチャネルデータが自己宛のデータであったときは、保持するロジカルチャネルデータをそのままスレーブ側変換処理部５３ｂに出力している。
【００５０】
スレーブ側変換処理部５３ｂは、対応するＣＣ毎に設けられ、スレーブ側データ保持部５３ａからのロジカルチャネルデータを結合し、さらに結合結果を示すヘッダを付加したトランスポートチャネルデータに変換してスレーブ側ＨＡＲＱ処理部５３ｃに出力している。
【００５１】
スレーブ側ＨＡＲＱ処理部５３ｃは、対応するＣＣ毎に設けられ、スレーブ側変換処理部５３ｂからのトランスポートチャネルデータに対しＡＲＱ処理とＦＥＣ処理とを組み合わせたＨＡＲＱ処理を行ってスレーブ側ＰＨＹ処理部５４に出力している。また、スレーブ側ＨＡＲＱ処理部５３ｃは、スレーブ側ＰＨＹ処理部５４へのトランスポートチャネルデータの送信状況に応じた送信可否情報をデータ交換部６０を介して定期的（例えば、マスタ側ＨＡＲＱ処理部４３ｄと同様の１ｍＳ周期）にスケジューラ４３ｂに出力している。
【００５２】
スレーブ側ＰＨＹ処理部５４は、対応するＣＣ毎に設けられ、スレーブ側ＨＡＲＱ処理部５３ｃからのトランスポートチャネルデータを物理チャネルにマッピングしてＣＣのＲＦ出力信号に変換して出力する、所謂レイヤ１の処理を行っている。
【００５３】
（データ交換部）
データ交換部６０は、マスタ側データ保持部４３ａと各スレーブ側データ保持部５３ａとの間で送受信されるロジカルチャネルデータや各種情報の中継処理を行っている。具体的な処理内容としては、データ交換部６０は、各スレーブ側データ保持部５３ａから保持するロジカルチャネルデータのプロパティ情報を入力したときは、その情報をマスタ側データ保持部４３ａに出力する処理を行っている。また、マスタ側データ保持部４３ａからのスケジューリング結果情報を入力したときは、対応するスレーブ側データ保持部５３ａに出力する処理を行っている。さらに、データ交換部６０は、マスタ側データ保持部４３ａ又は各スレーブ側データ保持部５３ａからのロジカルチャネルデータを、該当するマスタ側データ保持部４３ａ又はスレーブ側データ保持部５３ａに対する転送処理を行っている。また、データ交換部６０は、各スレーブ側ＨＡＲＱ処理部５３ｃからの送信可否情報をスケジューラ４３ｂに出力する処理を行っている。
【００５４】
＜１−２．処理動作＞
次に、上述した移動体通信用試験装置のダウンリンク処理における一連の処理動作について説明する。ここでは、外部入力したＩＰデータに対するダウンリンク処理を予め設定されたシナリオに沿って実行する際の処理動作例であり、シナリオ記憶手段２１に記憶されたシナリオに従って、各レイヤの初期設定及び振り分け情報の出力は完了しているものとする。
【００５５】
まず、シナリオに従い、レイヤ３メッセージを制御データ（ＤＣＣＨデータ、ＭＣＣＨデータ、ＣＣＣＨデータ、ＢＣＣＨデータ及びＰＣＣＨデータ）としてマスタ通信処理部４０に出力する。そして、外部入力したＩＰデータをＴＦＴ処理部１０でロジカルチャネル（ＤＴＣＨ、ＭＴＣＨ）にマッピングしたロジカルチャネルデータ（ＤＴＣＨデータ、ＭＴＣＨデータ）をロジカルチャネル振分部３０に出力する。
【００５６】
ロジカルチャネル振分部３０は、シナリオ処理部２０からの振分指示に基づき、ＴＦＴ処理部１０でマッピングされたロジカルチャネルデータを対応するロジカルチャネル（ＤＴＣＨ、ＭＴＣＨ）番号単位でマスタ通信処理部４０又はスレーブ通信処理部５０に振り分け処理を行う。
【００５７】
次に、マスタ通信処理部４０に振り分け処理されたロジカルチャネルデータは、まずマスタ側ＰＤＣＰ処理部４１においてロジカルチャネルデータ（ＤＴＣＨデータ）をロジカルチャネル毎にＲＯＨＣによるヘッダ圧縮処理と秘匿処理され、マスタ側ＲＬＣ処理部４２に出力される。また、シナリオ処理部２０からのロジカルチャネルデータ（ＤＣＣＨデータ）は、マスタ側ＰＤＣＰ処理部４１において認証処理及び秘匿処理され、マスタ側ＲＬＣ処理部４２に出力される。次に、マスタ側ＲＬＣ処理部４２は、マスタ側ＰＤＣＰ処理部４１、ロジカルチャネル振分部３０及びシナリオ処理部２０からのロジカルチャネルデータ（ＤＴＣＨデータ、ＤＣＣＨデータ、ＭＴＣＨデータ、ＭＣＣＨデータ）をロジカルチャネル毎に分割・結合処理とＡＲＱ処理を実行して、マスタ側ＭＡＣ処理部４３に出力する。また、マスタ側ＲＬＣ処理部４２は、シナリオ処理部２０から、制御データであるロジカルチャネルデータ（ＢＣＣＨデータ、ＣＣＣＨデータ、ＰＣＣＨデータ）を受けて、マスタ側ＭＡＣ処理部４３に出力する。
【００５８】
マスタ側ＭＡＣ処理部４３では、まずマスタ側ＲＬＣ処理部４２からのロジカルチャネルデータをマスタ側データ保持部４３ａに一時的に記憶する。そして、入力したロジカルチャネルデータのプロパティ情報をスケジューラ４３ｂに出力し、その応答としてスケジューラ４３ｂでスケジューリング／プライオリティハンドリング処理により得られたスケジューリング結果情報に基づき、保持するロジカルチャネルデータが自己宛以外のデータであったときは、データ交換部６０を介して該当するスレーブ側データ保持部５３ａに送出する。また、保持するロジカルチャネルデータが自己宛のデータであったときは、保持するロジカルチャネルデータをそのままマスタ側変換処理部４３ｃに出力する。
【００５９】
マスタ側データ保持部４３ａからのロジカルチャネルデータは、マスタ側変換処理部４３ｃにおいて、結合処理及び結合結果を示すヘッダを付加したトランスポートチャネルデータに変換される。そして、マスタ側ＨＡＲＱ処理部４３ｄにおいてトランスポートチャネルデータに対するＨＡＲＱ処理を行った後、マスタ側ＰＨＹ処理部４４においてトランスポートチャネルデータを物理チャネルにマッピングし、ＣＣのＲＦ出力信号に変換して出力する。
【００６０】
一方、スレーブ通信処理部５０においても、マスタ通信処理部４０におけるレイヤ２、レイヤ１に関する同様の処理を平行して行っている。
まず、スレーブ側ＰＤＣＰ処理部５１では、ロジカルチャネル振分部３０から送られてきたロジカルチャネルデータ（ＤＴＣＨデータ）をＲＯＨＣによるヘッダ圧縮処理と秘匿処理を実行し、スレーブ側ＲＬＣ処理部５２において、スレーブ側ＰＤＣＰ処理部５１及びロジカルチャネル振分部３０からのロジカルチャネルデータ（ＤＴＣＨデータ、ＭＴＣＨデータ）をロジカルチャネル毎に分割・結合処理とＡＲＱ処理を行った各ロジカルチャネルデータをスレーブ側ＭＡＣ処理部５３に出力する。
【００６１】
スレーブ側ＭＡＣ処理部５３では、スレーブ側ＲＬＣ処理部５２からのロジカルチャネルデータをスレーブ側データ保持部５３ａに一時的に記憶する。そして、入力したロジカルチャネルデータのプロパティ情報をデータ交換部６０を介してスケジューラ４３ｂに出力し、その応答としてデータ交換部６０を介して入力したスケジューラ４３ｂからのスケジューリング結果情報に基づき、保持するロジカルチャネルデータが自己宛以外のデータであったときは、データ交換部６０を介してマスタ側データ保持部４３ａ又は該当するスレーブ側データ保持部５３ａに送出する。また、保持するロジカルチャネルデータが自己宛のデータであったときは、保持するロジカルチャネルデータをそのままスレーブ側変換処理部５３ｂに出力する。
【００６２】
スレーブ側データ保持部５３ａからのロジカルチャネルデータは、スレーブ側変換処理部５３ｂにおいて結合処理及び結合結果を示すヘッダを付加したトランスポートチャネルデータに変換される。そして、スレーブ側ＨＡＲＱ処理部５３ｃにおいてトランスポートチャネルデータに対するＨＡＲＱ処理を行った後、スレーブ側ＰＨＹ処理部５４においてトランスポートチャネルデータを物理チャネルにマッピングし、ＣＣのＲＦ出力信号に変換し出力して処理を終了する。
【００６３】
［２．アップリンク処理］
次に、本発明に係る移動体通信用試験装置のアップリンク処理について説明する。
なお、以下の説明では、上述したダウンリンク処理において説明した構成要件と同一の構成については同符号及び処理内容について援用し、アップリンク処理に関する処理内容のみを説明する。
【００６４】
＜２−１．装置構成＞
図３は、本例の移動体端末用試験装置におけるアップリンク処理を実現するための各機能を示しており、ユーザデータ処理部７０と、シナリオ処理部２０と、マスタ通信処理部４０と、スレーブ通信処理部５０と、データ交換部６０とを備えて構成されている。
【００６５】
なお、図例では、ダウンリンク処理時のシステム構成と同様に、１つのマスタ通信処理部４０と、２つのスレーブ通信処理部５０との間のデータの送受信をデータ交換部６０が中継する構成例で示しているが、マスタ通信装置４０に複数のスレーブ通信処理部５０が接続される構成であれば、スレーブ通信処理部５０の接続数は特に限定されない。
【００６６】
（ユーザデータ処理部）
ユーザデータ処理部７０は、マスタ通信処理部４０及びスレーブ通信処理部５０からのＩＰデータに対するエラーレートの検出、データ比較処理等の試験内容に応じたデータ解析処理や、接続される外部装置（例えば音声サーバ）に対するデータ出力処理を行っている。
【００６７】
（シナリオ処理部）
シナリオ処理部２０は、ＬＴＥ−Ａに準拠する所定の動作試験のシーケンスに従ってメッセージが時系列に記述されたシナリオを記憶するシナリオ記憶手段２１を備え、マスタ側ＭＡＣ処理部４３及びスレーブ側ＭＡＣ処理部５３に対し、データ変換処理部で変換されたロジカルチャネルデータのＭＡＣヘッダに基づく変換／分解処理（デマルチプレクス）後のロジカルチャネルデータの振り分け処理を行うための振り分け情報を出力している。なお、振り分け情報は、上述したダウンリンク処理における振り分け情報と同様であり、ロジカルチャネルの種別及び番号と振り分け先となるマスタ通信処理部４０及びスレーブ通信処理部５０に対応した番号を予め設定し、各ロジカルチャネルの種別及び番号と振り分け先の番号とを対応させたものである。
【００６８】
また、シナリオ処理部２０は、マスタ通信処理部４０から出力される制御データ（ＣＣＣＨデータ、ＤＣＣＨデータ）をレイヤ３のＲＲＣサブレイヤのプロトコルメッセージとして入力している。
【００６９】
（マスタ通信処理部）
マスタ通信処理部４０は、レイヤ２のＰＤＣＰサブレイヤの処理を行うマスタ側ＰＤＣＰ処理部４１と、レイヤ２のＲＬＣサブレイヤの処理を行うマスタ側ＲＬＣ処理部４２と、レイヤ２のＭＡＣサブレイヤの処理を行うマスタ側ＭＡＣ処理部４３と、レイヤ１の処理を行うマスタ側ＰＨＹ処理部４４とを備えて構成されている。
【００７０】
マスタ側ＰＤＣＰ処理部４１は、マスタ側ＲＬＣ処理部４２からのロジカルチャネルデータ（ＤＴＣＨデータ）に対して秘匿解除処理とＲＯＨＣによる解凍処理を実行する。また、マスタ側ＰＤＣＰ処理部４１は、マスタ側ＲＬＣ処理部４２からの制御データ（ＤＣＣＨデータ）に対して秘匿解除処理と認証確認処理を実行する。そして、マスタ側ＰＤＣＰ処理部４１は、処理後のＤＴＣＨデータをＩＰデータとしてユーザデータ処理部７０に出力し、処理後のＤＣＣＨデータをレイヤ３のＲＲＣサブレイヤのプロトコルメッセージとしてシナリオ処理部２０に出力している。
【００７１】
マスタ側ＲＬＣ処理部４２は、マスタ側ＭＡＣ処理部４３からのロジカルチャネルデータ（ＤＴＣＨデータ、ＤＣＣＨデータ）をロジカルチャネル毎にＡＲＱ処理と分割・結合処理を行ってマスタ側ＰＤＣＰ処理部４１に出力している。また、マスタ側ＲＬＣ処理部４２は、マスタ側データ保持部４３ａからの制御データ（ＣＣＣＨデータ）をレイヤ３のＲＲＣサブレイヤのプロトコルメッセージとしてシナリオ処理部２０に出力している。
【００７２】
マスタ側ＭＡＣ処理部４３は、マスタ側データ保持部４３ａと、マスタ側変換処理部４３ｃと、マスタ側ＨＡＲＱ処理部４３ｄとを備え、マスタ側ＰＨＹ処理部４４からのトランスポートチャネルデータをロジカルチャネルデータに変換／分解（デマルチプレクス）処理を行ってマスタ側ＲＬＣ処理部４２に出力している。
【００７３】
マスタ側データ保持部４３ａは、マスタ側変換処理部４３ｃ及びデータ交換部６０を介して入力するスレーブ通信処理部５０からのロジカルチャネルデータを一時的に保持する記憶バッファである。マスタ側データ保持部４３ａは、入力したロジカルチャネルデータのプロパティ情報（例えば、チャネルの種別情報、チャネル番号情報）とシナリオ処理部２０からの振り分け情報とを照合し、保持するロジカルチャネルデータが自己宛以外のデータであったときは、データ交換部６０を介して該当するスレーブ側データ保持部５３ａに送出している。
【００７４】
なお、マスタ側データ保持部４３ａは、振り分け情報により保持するロジカルチャネルデータが自己宛のデータであったときは、保持するロジカルチャネルデータをそのままマスタ側ＲＬＣ処理部４２に出力している。
【００７５】
マスタ側変換処理部４３ｃは、対応するＣＣ毎に設けられ、マスタ側ＨＡＲＱ処理部４３ｄからのトランスポートチャネルデータのＭＡＣヘッダを解析してロジカルチャネルデータ（ＤＴＣＨデータ、ＤＣＣＨデータ、ＣＣＣＨデータ）となるように分解処理してマスタ側データ保持部４３ａに出力している。
【００７６】
マスタ側ＨＡＲＱ処理部４３ｄは、対応するＣＣ毎に設けられ、マスタ側ＰＨＹ処理部４４からのトランスポートチャネルデータをＨＡＲＱ処理した後、マスタ側変換処理部４３ｃに出力している。
【００７７】
マスタ側ＰＨＹ処理部４４は、対応するＣＣ毎に設けられ、移動体からのＲＦ信号を復調して得られた物理チャネルデータをトランスポートチャネルデータに変換した後、マスタ側ＨＡＲＱ処理部４３ｄに出力している。
【００７８】
（スレーブ通信処理部）
スレーブ通信処理部５０は、レイヤ２のＰＤＣＰサブレイヤの処理を行うスレーブ側ＰＤＣＰ処理部５１と、レイヤ２のＲＬＣサブレイヤの処理を行うスレーブ側ＲＬＣ処理部５２と、レイヤ２のＭＡＣサブレイヤの処理を行うスレーブ側ＭＡＣ処理部５３と、レイヤ１の処理を行うスレーブ側ＰＨＹ処理部５４とを備えて構成されている。
【００７９】
スレーブ側ＰＤＣＰ処理部５１は、スレーブ側ＲＬＣ処理部５２からのロジカルチャネルデータ（ＤＴＣＨデータ）に対して認証処理とＲＯＨＣによる解凍処理を実行する。そして、マスタ側ＰＤＣＰ処理部４１は、処理後のＤＴＣＨデータをＩＰデータとしてユーザデータ処理部７０に出力している。
【００８０】
スレーブ側ＲＬＣ処理部５２は、スレーブ側ＭＡＣ処理部５３からのロジカルチャネルデータ（ＤＴＣＨデータ）にＡＲＱ処理と分割・結合処理を行ってスレーブ側ＰＤＣＰ処理部５１に出力している。
【００８１】
スレーブ側ＭＡＣ処理部５３は、スレーブ側データ保持部５３ａと、スレーブ側変換処理部５３ｂと、スレーブ側ＨＡＲＱ処理部５３ｃとを備え、スレーブ側ＰＨＹ処理部５４からのトランスポートチャネルデータをロジカルチャネルデータへの変換／分解（デマルチプレクス）処理を行ってマスタ側ＲＬＣ処理部４２に出力している。
【００８２】
スレーブ側データ保持部５３ａは、スレーブ側変換処理部５３ｂ及びデータ交換部６０を介して入力するマスタ通信処理部４０及び自己以外のスレーブ通信処理部５０からのロジカルチャネルデータを一時的に保持する記憶バッファである。スレーブ側データ保持部５３ａは、入力したロジカルチャネルデータのプロパティ情報とシナリオ処理部２０からの振り分け情報とを照合し、保持するロジカルチャネルデータが自己宛以外のデータであったときは、データ交換部６０を介してマスタスレーブ側データ保持部４３ａ又は該当するスレーブ側データ保持部５３ａに送出している。
【００８３】
なお、スレーブ側データ保持部５３ａは、振り分け情報により保持するロジカルチャネルデータが自己宛のデータであったときは、保持するロジカルチャネルデータをそのままスレーブ側ＲＬＣ処理部５２に出力している。
【００８４】
スレーブ側変換処理部５３ｂは、対応するＣＣ毎に設けられ、マスタ側ＨＡＲＱ処理部４３ｄからのトランスポートチャネルデータのＭＡＣヘッダを解析してロジカルチャネルデータ（ＤＴＣＨデータ、ＤＣＣＨデータ、ＣＣＣＨデータ）となるように分解処理してスレーブ側データ保持部５３ａに出力している。
【００８５】
スレーブ側ＨＡＲＱ処理部５３ｃは、対応するＣＣ毎に設けられ、スレーブ側ＰＨＹ処理部５４からのトランスポートチャネルデータをＨＡＲＱ処理した後、スレーブ側変換処理部５３ｂに出力している。
【００８６】
スレーブ側ＰＨＹ処理部５４は、対応するＣＣ毎に設けられ、移動体からＲＦ信号を復調して得られた物理チャネルデータをトランスポートチャネルデータに変換した後、スレーブ側ＨＡＲＱ処理部５３ｃに出力している。
【００８７】
（データ交換部）
データ交換部６０は、マスタ側データ保持部４３ａと各スレーブ側データ保持部５３ａとの間で送受信されるロジカルチャネルデータの中継処理を行っている。具体的な処理内容としては、データ交換部６０は、マスタ側データ保持部４３ａ又は各スレーブ側データ保持部５３ａからのロジカルチャネルデータを該当するマスタ側データ保持部４３ａ又はスレーブ側データ保持部５３ａに転送している。
【００８８】
＜２−２．処理動作＞
次に、上述した移動体通信用試験装置のアップリンク処理における一連の処理動作について説明する。ここでは、ＣＣから入力した物理チャネルデータに対するアップリンク処理を予め設定されたシナリオに沿って実行する際の処理動作例である。
【００８９】
まず、マスタ通信処理部４０において、入力する物理チャネルデータをマスタ側ＰＨＹ処理部４４でトランスポートチャネルデータに変換し、このトランスポートチャネルデータをマスタ側ＨＡＲＱ処理部４３ｄで処理した後、マスタ側変換処理部４３ｃに出力する。また、マスタ側変換処理部４３ｃにおいて、マスタ側ＨＡＲＱ処理部４３ｄからのトランスポートチャネルデータのＭＡＣヘッダを解析してロジカルチャネルデータ（ＤＴＣＨデータ、ＤＣＣＨデータ、ＣＣＣＨデータ）となるように分解処理してマスタ側データ保持部４３ａに出力する。
【００９０】
マスタ側データ保持部４３ａでは、マスタ側変換処理部４３ｃからのロジカルチャネルデータを一時的に記憶する。そして、入力したロジカルチャネルデータのプロパティ情報とシナリオ処理部２０からの振り分け情報とを照合し、保持するロジカルチャネルデータが自己宛以外のデータであったときは、データ交換部６０を介して該当するスレーブ側データ保持部５３ａに送出する。また、振り分け情報により保持するロジカルチャネルデータが自己宛のデータであったときは、保持するロジカルチャネルデータをそのままマスタ側ＲＬＣ処理部４２に出力する。                                            、
【００９１】
マスタ側ＲＬＣ処理部４２は、マスタ側データ保持部４３ａからのロジカルチャネルデータ（ＤＴＣＨデータ、ＤＣＣＨデータ）をロジカルチャネル毎にＡＲＱ処理と結合処理を行ってマスタ側ＰＤＣＰ処理部４１に出力するとともに、マスタ側データ保持部４３ａからの制御データ（ＣＣＣＨデータ）をレイヤ３のＲＲＣサブレイヤのプロトコルメッセージとしてシナリオ処理部２０に出力する。そして、マスタ側ＰＤＣＰ処理部４１において、マスタ側ＲＬＣ処理部４２からのロジカルチャネルデータ（ＤＴＣＨデータ）と制御データ（ＤＣＣＨデータ）に対して秘匿解除処理とＲＯＨＣによる解凍処理又は秘匿解除処理と認証確認処理を実行し、処理後のＤＴＣＨデータをＩＰデータとしてユーザデータ処理部７０に出力するとともに、処理後のＤＣＣＨデータをレイヤ３のＲＲＣサブレイヤのプロトコルメッセージとしてシナリオ処理部２０に出力する。
【００９２】
一方、スレーブ通信処理部５０に関しても同様に、入力する物理チャネルデータ（ＲＦ信号）をスレーブ側ＰＨＹ処理部５４でトランスポートチャネルデータに変換し、このトランスポートチャネルデータをスレーブ側ＨＡＲＱ処理部５３ｂで処理した後、スレーブ側変換処理部５３ｂに出力する。また、スレーブ側変換処理部５３ｂにおいて、スレーブ側ＨＡＲＱ処理部５３ｃからのトランスポートチャネルデータのＭＡＣヘッダを解析してロジカルチャネルデータ（ＤＴＣＨデータ、ＤＣＣＨデータ、ＣＣＣＨデータ）となるように分解処理してスレーブ側データ保持部５３ａに出力する。
【００９３】
スレーブ側データ保持部５３ａでは、スレーブ側変換処理部５３ｃからのロジカルチャネルデータを一時的に記憶する。そして、入力したロジカルチャネルデータのプロパティ情報とシナリオ処理部２０からの振り分け情報とを照合し、保持するロジカルチャネルデータが自己宛以外のデータであったときは、データ交換部６０を介して該当するマスタ側データ保持部４３ａ又は該当するスレーブ側データ保持部５３ａに送出する。また、振り分け情報により保持するロジカルチャネルデータが自己宛のデータであったときは、保持するロジカルチャネルデータをそのままスレーブ側ＲＬＣ処理部５２に出力する。
【００９４】
スレーブ側ＲＬＣ処理部５２は、スレーブ側データ保持部５３ａからのロジカルチャネルデータ（ＤＴＣＨデータ）をロジカルチャネル毎にＡＲＱ処理と分割・結合処理を行ってスレーブ側ＰＤＣＰ処理部５１に出力し、スレーブ側ＰＤＣＰ処理部５１において、ロジカルチャネルデータ（ＤＴＣＨデータ）の秘匿解除処理とＲＯＨＣによる解凍処理を実行し、処理後のＤＴＣＨデータをＩＰデータとしてユーザデータ処理部７０に出力する。
【００９５】
そして、マスタ通信処理部４０及びスレーブ通信処理部５０からのＩＰデータに対するエラーレートの検出、データ比較処理等の試験内容に応じたデータ解析処理や、接続される外部装置に対するデータ出力処理を行って処理を終了する。
【００９６】
以上説明したように、上述した移動体通信用試験装置１は、ダウンリンク処理を実施するための構成として、予め設定された振り分け情報に従って移動体に送信すべきロジカルチャネルデータをロジカルチャネル番号単位で複数のマスタ通信処理部４０、スレーブ通信処理部５０に振り分け処理をし、各通信処理部４０、５０において、一時的に保持したロジカルチャネルデータのうち、自己宛以外のロジカルチャネルデータを該当するマスタ通信処理部４０又は該当するスレーブ通信処理部５０に向けてデータ交換部６０を介して送出している。
【００９７】
また、アップリンク処理を実施するための構成として、各通信処理部４０、５０が予め設定された振り分け情報に従って振り分けられたロジカルチャネルデータのうち、自己宛以外のロジカルチャネルデータを該当するマスタ通信処理部４０又は該当するスレーブ通信処理部５０に向けてデータ交換部６０を介して送出している。
【００９８】
これにより、低コストで、ＬＴＥーＡ等の所定数の周波数ブロックを束ねて無線通信を行う移動体のダウンリンク処理及びアップリンク処理に関する各種動作試験が実施可能な移動体通信用試験装置を提供することができる。
【００９９】
ところで、上述した形態におけるダウンリンク処理及びアップリンク処理におけるシステム構成として、シナリオ処理部２０からの振り分け情報に基づきロジカルチャネルデータを振り分けする構成として説明したが、これに限定されることはなく、例えば試験項目に応じた振分テーブルを予め記憶させたり、予め設定された固定の振り分け情報としてロジカルチャネル振分部やＭＡＣ処理部等に個別に記憶させ、ダウンリンク処理及びアップリンク処理時に読み出してロジカルチャネルデータの振分処理を行う構成とすることもできる。
【０１００】
また、本形態ではスケジューラ４３ｂを備えた通信処理部をマスタ通信処理部４０として機能させ、その他複数の通信処理部をスレーブ通信処理部５０とした構成で説明したが、これに限定されるものではない。本装置では、少なくとも各通信処理部４０、５０が保持するロジカルチャネルデータのスケジューリング処理が行えればよいため、例えばスケジューラ４３ｂを本装置内に独立して設けた形態や、データ交換部６０に実装した形態とすることもできる。
【０１０１】
さらに、図１及び図３に示すように、本形態ではマスタ通信処理部４０と複数のスレーブ通信処理部５０に対してそれぞれ１つのＣＣから試験対象となる移動体との間で信号の入出力を行う例で示しているが、ＣＣの数はこれに限定されることはなく、例えば、マスタ通信処理部４０におけるマスタ側変換処理部４３ｃ、マスタ側ＨＡＲＱ処理部４３ｄ及びマスタ側ＰＨＹ処理部４４と、スレーブ通信処理部におけるスレーブ側変換処理部５３ｂ、スレーブ側ＨＡＲＱ処理部５３ｃ及びスレーブ側ＰＨＹ処理部５４を、複数のＣＣ毎にそれぞれ対応して設ける構成とすることで、複数のＣＣで移動体との間で動作試験を行うことができる。
【０１０２】
また、上述した形態では、移動体通信端末を試験するための基地局模擬装置として、試験装置を説明したが、本発明は、基地局を試験するための移動体通信端末模擬装置に適用することもできる。
【符号の説明】
【０１０３】
１…移動体通信用試験装置
１０…ＴＦＴ処理部
２０…シナリオ処理部
２１…シナリオ記憶手段
３０…ロジカルチャネル振分部
４０…マスタ通信処理部
４１…マスタ側ＰＤＣＰ処理部
４２…マスタ側ＲＬＣ処理部
４３…マスタ側ＭＡＣ処理部（４３ａ…マスタ側データ保持部、４３ｂ…スケジューラ、４３ｃ…マスタ側変換処理部、４３ｄ…マスタ側ＨＡＲＱ処理部）
４４…マスタ側ＰＨＹ処理部
５０…スレーブ通信処理部
５１…スレーブ側ＰＤＣＰ処理部
５２…スレーブ側ＲＬＣ処理部
５３…スレーブ側ＭＡＣ処理部（５３ａ…スレーブ側データ保持部、５３ｂ…スレーブ側変換処理部、５３ｃ…スレーブ側ＨＡＲＱ処理部）
５４…スレーブ側ＰＨＹ処理部
６０…データ交換部
７０…ユーザデータ処理部
【図１】
0005457480.tif 000002
【図２】
0005457480.tif 000003
【図３】
0005457480.tif 000004